(57)【要約】      （修正有）【課題】各機能コンポーネントの必要なスペースを減少し、組み立て及び生産コストを減少させることができるＬＥＤ光エンジンコンポーネントを提供する。【解決手段】ＬＥＤ光エンジンコンポーネントは、ＬＥＤ照明技術分野に応用し、凹溝構造を備える放熱部材４、放熱部材の凹溝構造の内部に固定される光源コンポーネント３、及び放熱部材と係合される球ケース１を含み、光源コンポーネント３は、光源基板３０１、光源モジュール、駆動回路、給電回路、ＩＣチップ、光源基板３０１に架設されたアンテナ、及び光源基板３０１に固定された金属端子を含み、光源モジュール、駆動回路、給電回路は、光源基板３０１にレイアウトされ、給電回路は、光源モジュール、駆動回路にそれぞれ電気的に接続され、駆動回路は、光源モジュールに電気的に接続される。【選択図】図１
0003235313.tif 000002
【実用新案登録請求の範囲】
【請求項１】
ＬＥＤ光エンジンコンポーネントであって、
凹溝構造を備える放熱部材、前記放熱部材の凹溝構造の内部に固定される光源コンポーネント、及び前記放熱部材と係合される球ケースを含み、
前記光源コンポーネントは、光源基板、光源モジュール、駆動回路、給電回路、ＩＣチップ、前記光源基板に架設されたアンテナ、及び前記光源基板に固定された金属端子を含み、
前記光源モジュール、前記駆動回路、前記給電回路は、前記光源基板にレイアウトされ、前記給電回路は、前記光源モジュール、前記駆動回路にそれぞれ電気的に接続され、前記駆動回路は、前記光源モジュールに電気的に接続され、
前記ＩＣチップは、高周波モジュール及び誘導モジュールを含み、前記高周波モジュール、前記誘導モジュールは、いずれも前記駆動回路に電気的に接続され、前記アンテナの第１端は、前記金属端子を介して前記高周波モジュールに接続され、前記アンテナの第２端は、前記光源基板に固定的に接続される、
ことを特徴とするＬＥＤ光エンジンコンポーネント。
【請求項２】
前記ＩＣチップは、前記光源基板に貼付又は半田付けされる、
ことを特徴とする請求項１に記載のＬＥＤ光エンジンコンポーネント。
【請求項３】
前記光源基板は、前記放熱部材の凹溝構造の内部にネジにより固定される、
ことを特徴とする請求項１に記載のＬＥＤ光エンジンコンポーネント。
【請求項４】
前記光源モジュールは、複数のＬＥＤ光源を含み、
前記複数のＬＥＤ光源は、前記光源基板の縁に沿って配置され、
前記駆動回路及び前記給電回路は、前記複数のＬＥＤ光源により囲まれた空間内に設けられる、
ことを特徴とする請求項１に記載のＬＥＤ光エンジンコンポーネント。
【請求項５】
前記放熱部材上の開口を通じて前記ＬＥＤ光エンジンコンポーネントの外部に引き出される接地線をさらに含み、
前記給電回路及び／又は前記駆動回路の接地端子は、前記接地線の第１端に接続され、前記接地線の第２端は外部接地するために用いられる、
ことを特徴とする請求項１に記載のＬＥＤ光エンジンコンポーネント。
【請求項６】
前記放熱部材上の開口を通じて前記ＬＥＤ光エンジンコンポーネントの外部に引き出される電源線をさらに含み、
前記給電回路の電源端子は、前記電源線の第１端に接続され、前記電源線の第２端は、外部電源に用いられる、
ことを特徴とする請求項１に記載のＬＥＤ光エンジンコンポーネント。
【考案の詳細な説明】
【技術分野】
【０００１】
本考案は、ＬＥＤ照明技術分野に属し、より具体的には、ＬＥＤ光エンジンコンポーネントに関する。
【背景技術】
【０００２】
従来のＬＥＤ光エンジンコンポーネントの設計方法は、駆動回路、光源コンポーネント、給電回路、高周波モジュール、アンテナ、誘導モジュールなどの各機能コンポーネントを独立に設計し、続いて各機能コンポーネントの組み立てを行うことである。このような設計方法を採用する場合、ＬＥＤ光エンジンコンポーネントの各機能コンポーネントの必要なスペースが大きく、且つ組み立てが複雑であり、生産コストも高い投入を必要とし、ＬＥＤ光エンジンコンポーネントの大面積の普及及び拡張に不利である。
【０００３】
従って、各機能コンポーネントの必要なスペースを如何に減少し、ＬＥＤ光エンジンコンポーネントの組み立て及び生産コストを減少させることが、当業者にとって解決すべき課題となっている。
【考案の概要】
【考案が解決しようとする課題】
【０００４】
本考案の目的は、従来技術におけるＬＥＤ光エンジンの各機能コンポーネントの必要なスペースが大きく、組み立て及び生産コストが高いという技術的問題を解決するために、ＬＥＤ光エンジンコンポーネントを提供することである。
【課題を解決するための手段】
【０００５】
本考案は、上記目的を達成するために、ＬＥＤ光エンジンコンポーネントを提供し、当該ＬＥＤ光エンジンコンポーネントは、
凹溝構造を備える放熱部材、前記放熱部材の凹溝構造の内部に固定される光源コンポーネント、及び前記放熱部材と係合される球ケースを含み、
前記光源コンポーネントは、光源基板、光源モジュール、駆動回路、給電回路、ＩＣチップ、前記光源基板に架設されたアンテナ、及び前記光源基板に固定された金属端子を含み、
前記光源モジュール、前記駆動回路、前記給電回路は、前記光源基板にレイアウトされ、前記給電回路は、前記光源モジュール、前記駆動回路にそれぞれ電気的に接続され、前記駆動回路は、前記光源モジュールに電気的に接続され、
前記ＩＣチップは、高周波モジュール及び誘導モジュールを含み、前記高周波モジュール、前記誘導モジュールは、いずれも前記駆動回路に電気的に接続され、前記アンテナの第１端は、前記金属端子を介して前記高周波モジュールに接続され、前記アンテナの第２端は、前記光源基板に固定的に接続される。
【０００６】
本願の別の実施例としては、前記ＩＣチップは、前記光源基板に貼付又は半田付けされる。
【０００７】
本願の別の実施例としては、前記光源基板は、前記放熱部材の凹溝構造の内部にネジにより固定される。
【０００８】
本願の別の実施例としては、前記光源モジュールは、複数のＬＥＤ光源を含み、
前記複数のＬＥＤ光源は、前記光源基板の縁に沿って配置され、
前記駆動回路及び前記給電回路は、前記複数のＬＥＤ光源により囲まれた空間内に設けられる。
【０００９】
本願の別の実施例としては、前記ＬＥＤ光エンジンコンポーネントは、
前記放熱部材上の開口を通じて前記ＬＥＤ光エンジンコンポーネントの外部に引き出される接地線をさらに含み、
前記給電回路及び／又は前記駆動回路の接地端子は、前記接地線の第１端に接続され、前記接地線の第２端は外部接地するために用いられる。
【００１０】
本願の別の実施例としては、前記ＬＥＤ光エンジンコンポーネントは、
前記放熱部材上の開口を通じて前記ＬＥＤ光エンジンコンポーネントの外部に引き出される電源線をさらに含み、
前記給電回路の電源端子は、前記電源線の第１端に接続され、前記電源線の第２端は、外部電源に用いられる。
【考案の効果】
【００１１】
本考案にて提供されるＬＥＤ光エンジンコンポーネントの有益な効果は、
従来技術とは異なり、ＬＥＤ光エンジンコンポーネントにおける各機能コンポーネントが別々にレイアウトされる構造であり、本考案は、光源モジュール、駆動回路及び給電回路を全て１枚の光源基板に集積し、それにより各機能コンポーネントの必要なスペースを効果的に減少し、本考案の生産及び組み立てに際し、光源コンポーネントを放熱部材の凹溝内に固定し、続いて球ケースを放熱部材に係合させるだけでよく、光源コンポーネントにおける各部材を個別に取り付ける必要がなく、操作ステップを減少させ、ＬＥＤ光エンジンコンポーネントの組み立て及び生産コストを減少させることである。
【図面の簡単な説明】
【００１２】
本考案の実施例における技術的解決手段をより明確に説明するために、以下、実施例又は従来技術の説明に使用が必要な図面を簡単に紹介するが、明らかに、以下の説明における図面は本考案のいくつかの実施例に過ぎず、当業者にとって、創造的な労力を与えない前提で、これらの図面に基づいて他の図面を取得することもできる。
【図１】図１は本考案の一実施例にて提供されるＬＥＤ光エンジンコンポーネントの構造の概略図である。
【図２】図２は本考案の一実施例にて提供される光源コンポーネントの電気的な接続の概略図である。
【考案を実施するための形態】
【００１３】
本考案の解決しようとする技術的問題、技術的解決手段、及び有益な効果をより明確にするために、以下、図面及び実施例を参照して本考案をより詳細に説明する。なお、本明細書に記載の具体的な実施例は、本考案を説明するためのものに過ぎず、本考案を限定するものではないことを理解されたい。
【００１４】
以下、本考案を、図面及び具体的な実施形態を参照してさらに詳細に説明する。
【００１５】
図１を参照すると、図１は本考案の一実施例にて提供されるＬＥＤ光エンジンコンポーネントの構造の概略図であり、当該ＬＥＤ光エンジンコンポーネントは、
凹溝構造を備える放熱部材４、放熱部材４の凹溝構造の内部に固定される光源コンポーネント３、及び放熱部材４と係合される球ケース１を含む。
【００１６】
光源コンポーネント３は、光源基板３０１、光源モジュール３０２、駆動回路３０３及び給電回路３０４を含み、光源モジュール３０２、駆動回路３０３、給電回路３０４は、光源基板３０１にレイアウトされる。
【００１７】
給電回路３０４は、光源モジュール３０２、駆動回路３０３にそれぞれ電気的に接続され、駆動回路３０３は、光源モジュール３０２に電気的に接続される。
【００１８】
本実施例において、放熱部材４と球ケース１は互いに係合してキャビティを形成することができ、光源コンポーネント３がこのキャビティに設置されることができる。具体的には、光源コンポーネント３は、放熱部材４の凹溝構造の内部に設置されることができる。
【００１９】
本実施例において、本考案は、極めて簡単な駆動回路３０３及び給電回路３０４を採用し、この部分の回路を簡素化し、光源モジュール３０２とともに光源基板３０１に集積して設置することで、機能コンポーネントの全体体積を縮小する。
【００２０】
以上の説明から分かるように、従来技術とは異なり、ＬＥＤ光エンジンコンポーネントにおける各機能コンポーネントが別々にレイアウトされる構造であり、本考案は、光源モジュール３０２、駆動回路３０３及び給電回路３０４を全て１枚の光源基板３０１に集積し、それにより各機能コンポーネントの必要なスペースを効果的に減少し、本考案の生産及び組み立てに際し、光源コンポーネント３を放熱部材４の凹溝内に固定し、続いて球ケース１を放熱部材４に係合させるだけでよく、光源コンポーネント３における各部材を個別に取り付ける必要がなく、操作ステップを減少させ、ＬＥＤ光エンジンコンポーネントの組み立て及び生産コストを減少させる。
【００２１】
選択可能に、本考案の実施例にて提供されるＬＥＤ光エンジンコンポーネントの具体的な一実施形態として、光源コンポーネントはＩＣチップ３０５をさらに含む。
【００２２】
ＩＣチップ３０５は、光源基板３０１に固定される。
【００２３】
ＩＣチップ３０５は、高周波モジュール３０５１及び誘導モジュール３０５２を含み、高周波モジュール３０５１、誘導モジュール３０５２は、いずれも駆動回路３０３に電気的に接続される。
【００２４】
本実施例において、高周波モジュール３０５１及び誘導モジュール３０５２に加えて、ＩＣチップ３０５内に、他のＬＥＤ光エンジンに必要なモジュール／構成要素を実装して、各機能コンポーネントの統合を達成することができる。
【００２５】
本実施例において、誘導モジュール３０５２は、赤外線センサ、光センサ、マイクロフォン、温度センサなどを含むが、これらに限定されず、他のＬＥＤ光エンジンに必要なモジュール／構成要素は、スピーカ、色温度スイッチモジュール、ダイヤルスイッチモジュールなどを含むことができる。
【００２６】
選択可能に、本考案の実施例にて提供されるＬＥＤ光エンジンコンポーネントの具体的な一実施形態として、ＩＣチップ３０５は、光源基板３０１に貼付又は半田付けされ、ＩＣチップを光源基板３０１に効果的に統合することで、ＩＣチップ３０５の必要なスペースを減少することができ、本考案の生産及び組み立てに際し、ＩＣチップ３０５を個別に取り付ける必要がなく、取り付けステップを減少する。
【００２７】
選択可能に、図２を参照すると、本考案の実施例にて提供されるＬＥＤ光エンジンコンポーネントの具体的な一実施形態として、光源コンポーネントは、光源基板３０１に架設されたアンテナ３０６、及び光源基板３０１に固定される金属端子３０７をさらに含む。
【００２８】
アンテナ３０６の第１端は、金属端子３０７を介して高周波モジュール３０５１に接続され、アンテナ３０６の第２端は、光源基板３０１に固定的に接続される。
【００２９】
本実施例において、アンテナ３０６は、金属端子３０７を介して高周波モジュール３０５１に接続され、高周波モジュール３０５１の歪みの影響をより受けにくく、アンテナ３０６の安定性がより高い。
【００３０】
選択可能に、図１を参照すると、本考案の実施例にて提供されるＬＥＤ光エンジンコンポーネントの具体的な一実施形態として、光源基板３０１は、放熱部材４の凹溝構造の内部にネジ２により固定され、これにより、光源基板３０１の安定性を効果的に保証し、光源基板３０１に統合される各部材の安定性をさらに保証し、本考案の使用際に各部材が揺れて接触不良が発生するという現象を回避する。
【００３１】
選択可能に、本考案の実施例にて提供されるＬＥＤ光エンジンコンポーネントの具体的な一実施形態として、光源モジュール３０２は、複数のＬＥＤ光源３０２１を含む。
【００３２】
複数のＬＥＤ光源３０２１は、光源基板３０１の縁に沿って配置される。
複数のＬＥＤ光源３０２１は、光源基板３０１の縁に沿って設置されて、閉鎖形状を形成する。
【００３３】
駆動回路３０３及び給電回路３０４は、複数のＬＥＤ光源３０２１により囲まれた空間内に設けられる。駆動回路３０３及び給電回路３０４は、複数のＬＥＤ光源３０２１により囲まれた閉鎖形状内に設置される。
【００３４】
本実施例において、複数のＬＥＤ光源３０２１を、他の形状に応じて設置してもよく、ここで限定されない。
【００３５】
本実施例において、複数のＬＥＤ光源３０２１は、他の方式（例えば、非閉鎖方式）で駆動回路３０３及び給電回路３０４の周囲を囲んでもよく、ここで限定されない。
【００３６】
本実施例において、光源基板３０１は、円形状、四角形状、その他の不定形形状であってもよく、ここで限定されない。
【００３７】
選択可能に、図１及び図２を参照すると、本考案の実施例にて提供されるＬＥＤ光エンジンコンポーネントの具体的な一実施形態として、ＬＥＤ光エンジンコンポーネントは、
放熱部材上の開口を通じてＬＥＤ光エンジンコンポーネントの外部に引き出される接地線５をさらに含む。
【００３８】
給電回路３０４及び／又は駆動回路３０３の接地端子は、接地線５の第１端に接続され、接地線５の第２端は外部接地するために用いられる。
【００３９】
選択可能に、図１及び図２を参照すると、本考案の実施例にて提供されるＬＥＤ光エンジンコンポーネントの具体的な一実施形態として、ＬＥＤ光エンジンコンポーネントは、
放熱部材上の開口を通じてＬＥＤ光エンジンコンポーネントの外部に引き出される電源線６をさらに含む。
【００４０】
給電回路３０４の電源端子は、電源線６の第１端に接続され、電源線６の第２端は、外部電源７に用いられる。
【００４１】
以上、本考案の具体的な実施形態に過ぎず、本考案の保護範囲はこれに限定されず、当業者であれば、本考案の開示技術範囲内において、各種の等価な修正や置換を容易に想定することができ、これらの修正や置換も本考案の保護範囲内に含まれるべきである。したがって、本考案の保護範囲は、特許請求の範囲の保護範囲を基準とする。
【符号の説明】
【００４２】
１、球ケース、２、ネジ、３、光源コンポーネント、３０１、光源基板、３０２、光源モジュール、３０２１、ＬＥＤ光源、３０３、駆動回路、３０４、給電回路、３０５、ＩＣチップ、３０５１、高周波モジュール、３０５２、誘導モジュール、３０６、アンテナ、３０７、金属端子、４、放熱部材、５、接地線、６、電源線、７、外部電源。
【図１】
0003235313.tif 000003
【図２】
0003235313.tif 000004